(57)【特許請求の範囲】
【請求項１】
それぞれ伸縮自在で大きさの異なる親扉と子扉を連結して吊元柱と戸当り柱との間に配置し、これら両柱間の開口部を上記各扉の伸縮によって開閉するとともに、上記各扉を、それぞれ枠体状に形成した両端の吊元框及び戸当り框とその間に配置された複数の縦桟をパンタグラフ状に組んだ複数のリンクによって連結した片開き親子方式の伸縮門扉において、上記親扉の子扉側に配置された戸当り框と子扉の親扉側に配置された吊元框との表裏をそれぞれ戸当り框と吊元框と同じ長さの板状ジョイント部材を介して一定の間隔をおいて連結し、表裏のジョイント部材と戸当り框と吊元框との間に形成された空間の端部を、上記縦桟の端部のキャップと同じキャップで覆ったことを特徴とする片開き親子方式の伸縮門扉。
【請求項２】
互いに連結される前記戸当り框と吊元框の側面にそれぞれ加工形成された孔を、前記ジョイント部材で覆った、請求項１記載の片開き親子方式の伸縮門扉。
【発明の詳細な説明】
【０００１】
【発明の属する技術分野】
本発明は片開き親子方式の伸縮門扉において、親扉と子扉との連結を改善した伸縮門扉に関する。
【０００２】
【従来技術】
この種の伸縮門扉は、それぞれ伸縮自在で大きさの異なる親扉と子扉を連結して吊元柱と戸当り柱との間に配置し、吊元柱間の開口部を上記各扉の伸縮によって二段階に開閉するものである。通常の人の出入りのときは子扉のみを開閉し、自動車を入れるときは親扉と子扉を開閉する。上記各扉は、それぞれ枠体状に形成した両端の吊元框及び戸当り框とその間に配置された複数の縦桟をパンタグラフ状に組んだ複数の斜めリンクによって連結されている。
【０００３】
ところで、伸縮門扉は複雑な作業が必要で現場で組み立てることはできない。また、門扉を必要とする開口部は現場によって異なる場合が多く、規格化することができないのが現状である。したがって、親扉の幅や子扉の幅は多様であり、その組み合わせによりさらに種類が多くならざる得ない。このような事情から、従来は親扉と子扉は予め工場で組み立てられ、さらにこれらは専用の連結框によって連結されて片開き親子扉として倉庫に保管され、必要に応じて現場の要求に対応するものを出荷するという方式が採用されていた。
【０００４】
【発明が解決しようとする課題】
しかしながら、このような方式では、多種類の片開き親子扉を大量に保管しておかなければならないので効率が悪いほか、無駄になるものが出たり、既に組み立てられたものとは異なるものが必要な場合には対応が遅くなってしまう、などの問題があった。
【０００５】
本発明は上記問題点を解消し、現場で親扉と子扉を簡単に連結して組み立てることができる片開き親子方式の伸縮門扉を提供することをその課題とする。
【０００６】
【課題を解決するための手段】
前記課題を解決するため、本発明に係る片開き親子方式の伸縮門扉は、それぞれ伸縮自在で大きさの異なる親扉と子扉を連結して吊元柱と戸当り柱との間に配置し、これら両柱間の開口部を上記各扉の伸縮によって開閉するとともに、上記各扉を、それぞれ枠体状に形成した両端の吊元框及び戸当り框とその間に配置された複数の縦桟をパンタグラフ状に組んだ複数のリンクによって連結した片開き親子方式の伸縮門扉において、上記親扉の子扉側に配置された戸当り框と子扉の親扉側に配置された吊元框との表裏をそれぞれ戸当り框と吊元框と同じ長さの板状ジョイント部材を介して一定の間隔をおいて連結し、表裏のジョイント部材と戸当り框と吊元框との間に形成された空間の端部を、上記縦桟の端部のキャップと同じキャップで覆ったことを特徴とする。
【０００７】
【発明の実施の形態】
図１は本発明に係る伸縮門扉を示すもので、それぞれ伸縮自在で大きさの異なる親扉１ａと子扉１ｂを連結した門扉１を吊元柱２と戸当り柱３との間に配置し、吊元柱２と戸当り柱３との間の開口部を門扉１を伸縮させて二段階に開閉することができるようにしたものである。
【０００８】
上記親扉１ａは、吊元框４と戸当り框５との間に複数の縦桟６を配し、これらの框と縦桟６を細長枠状に形成するとともに、内側の開口部にパンタグラフ状に組んだ複数の斜めリンク７を配置し、方向の異なるリンク７の交わり部を回動軸８によって連結し、回動軸８は上下の列に対応するものを１列おきに、その両端部を図２に示すように、上記吊元框４と戸当り框５と縦桟６の長手方向に沿って形成された案内溝９にスライド自在に係合させたものである。ただし、中央の回動軸８ａは吊元框４と戸当り框５と縦桟６に固定され、スライドしないように構成されている。これにより、親扉１ａは上記固定軸８ａを除く回動軸８が吊元框４と戸当り框５と縦桟６の案内溝９に沿って上下方向にスライドしながら伸縮する。
【０００９】
子扉１ｂも、同様に、吊元框４と戸当り框５との間に複数の縦桟６を配し、これらの框と縦桟６を細長枠状に形成するとともに、内側の開口部にパンタグラフ状に組んだ複数の斜めリンク７を回動軸８で連結し、回動軸８は上下の列に対応するものを１列おきに、その両端部を吊元框４と戸当り框５と縦桟６の長手方向に沿って形成された案内溝９にスライド自在に係合させたものである。中央の回動軸８は固定軸である。そして、子扉１ｂも上記固定軸を除く回動軸８が吊元框４と戸当り框５と縦桟６の案内溝９に沿って上下方向にスライドしながら伸縮する。
【００１０】
なお、親扉１ａと子扉１ｂの吊元柱２、戸当り柱３及び縦桟６はそれぞれ共通で同じ構造のものとするのが好ましい。
【００１１】
子扉１ｂの戸当り框５にはハンドル１０と連動する錠（図示せず）が設けられ、戸当り柱３には、上記錠に係止するための杆状の錠受け（図示せず）が設けられている。また、親扉１ａの戸当り框５と中間の縦桟６の下部及び子扉１ｂの戸当り框５には、左右１対のキャスター１２が取り付けられ、親扉１ａと子扉１ｂはそれぞれキャスター１２に支持された状態で伸縮移動するように構成されている。
【００１２】
次に、上記門扉１は、図１及び図３に示されるように、親扉１ａの戸当り框５と子扉１ｂの吊元框４とは１対のジョイント部材１３を介して連結することにより構成されている。ジョイント部材１３は図３及び図４に示されるように細長の基板１３ａの中央から直角に１対の当接片１３ｂを張り出し形成してなる金属製部材で、上記当接片１３ｂの外側にはさらに１対の係合片１４、１５が形成され、一方の係合片１５はＬ字形に屈曲形成されている。
【００１３】
上記構成のジョイント部材１３は、図４及び図５に示すように、上記対向配置された上記戸当り框５と吊元框４の上方から両框５、４の対向面の長手方向に沿って形成された取付溝１６に上記係合片１４、１５を係合させた状態でスライドして取り付けられている。上記取付溝１６は、吊元框４についてはヒンジ金具、戸当り框５についてはクッション材を取り付けるために予め形成されているものであり、この取付溝１６を利用してジョイント部材１３を取り付けるのである。さらに、ジョイント部材１３をネジ１７で戸当り框５と吊元框４の側面に固定する。ジョイント部材１３は上記両框４、５の表裏両面にそれぞれ固定され、１対の対称なジョイント部材１３を介して両框はジョイント部材１３によって連結される。さらに、表裏両側（道路、敷地両側）のジョイント部材１３と戸当り框５と吊元框４との間の形状は縦桟６と略同じように形成する。
【００１４】
ところで、ジョイント部材１３によって連結された子扉１ｂの吊元框４と親扉１ａの戸当り框５は、それぞれ親扉１ａと子扉１ｂの各吊元框４と戸当り框５と共通である。したがって、例えば親扉１ａの戸当り框５には、ハンドル１０（図１参照）を取り付けるために加工形成された孔２４（図５参照）が形成されているが、この孔２４はジョイント部材１３の基板１３ａの取り付けによって覆い隠されるから、上記孔１７に対して格別の処理をする必要がない。また、親扉１ａ、子扉１ｂともに通常の伸縮門扉として使用することができる。
【００１５】
さらに、図３に示されるように、上記表裏両側のジョイント部材１３の中央部の上下端部はそれぞれ縦桟６の桟材６ａを連結する上下端のキャップ１８ａ、１８ｂと同じキャップ１８ａ、１８ｂによって連結されている。戸当り框５と吊元框４の框材５ａ、４ａも、他の戸当り框５と吊元框４と共通のキャップ１９ａ、１９ｂによって連結されている。
【００１６】
次に、ジョイント部材１３は戸当り框５と吊元框４とを一定の間隔をおいて連結したものであり、図３に示すように、その中央部分には落し棒２０が取り付けられている。すなわち、敷地側のジョイント部材１３の中央部には上下のガイド部材２１、２２を固定し、これらのガイド部材２１、２２に落し棒２０が上下動可能に挿通されている。これに対し、門扉の設置面Ｇには親扉１ａを最大に伸長させたときの上記落し棒２０の延長上に筒状の棒受け２３が形成されている。この棒受け２３に落し棒２０を係合させることにより親扉１ａは所定の伸長状態で保持される。同様の落し棒２０は親扉１ａの中間の縦桟６や子扉１ｂの戸当り框５にも設けられる。
【００１７】
上述のように、門扉１は親扉１ａと子扉１ｂとをジョイント部材１３を介して連結してなるものであるが、親扉１ａと子扉１ｂ自体は基本的には通常の伸縮門扉と同じ構造であるとともに、ジョイント部材１３による連結作業は現場で行なうことができる。したがって、工場や倉庫では縦桟６の数が異なる通常の門扉として製作し、保管しておき、これら親扉１ａと子扉１ｂは独立の片開き門扉として出荷することができるほか、門扉１とするときは必要な親子の組み合わせを決めた後、現場にこれらの親扉１ａと子扉１ｂを運んで所定の親子門扉を組み立てることができるから、製造効率や保管効率がよく、片開き親子式の伸縮門扉を低コストで提供することができる。
【００１８】
【発明の効果】
請求項１に係る発明によれば、親扉の子扉側に配置された戸当り框５と子扉の親扉側に配置された吊元框とをジョイント部材を介して連結したから、従来のように親扉と子扉を専用の連結框で連結する必要がない。工場や倉庫では縦桟の数が異なる通常の門扉として製作し、保管しておき、これら親扉と子扉は独立の片開き門扉として出荷することができるほか、親子扉とするときは必要な親子の組み合わせを決めた後、現場にこれらの親扉と子扉を運んで所定の親子門扉を組み立てることができるから、製造効率や保管効率がよく、片開き親子式の伸縮門扉を低コストで提供することができる。しかも、ジョイント部材は戸当り框と吊元框とを一定の間隔をおいて連結したものであるから、その中央部分には落し棒を取り付けることができる。さらに、ジョイント部材の端部に縦桟用のキャップを被せたので、専用のキャップを作る必要がない。
【００１９】
請求項２に係る発明によれば、互いに連結される戸当り框と吊元框の側面にそれぞれ加工形成された孔を、前記ジョイント部材で覆ったから、上記孔を外部から覆い隠すことができるほか、互いに連結される戸当り框と吊元框の側面にそれぞれ孔を加工形成することができるから、親扉と子扉の各吊元框と戸当り框をそれぞれ共通の構造として、各扉を独立の門扉として提供することができる。
【図面の簡単な説明】
【図１】伸縮門扉の正面図
【図２】框及び縦桟の横断面図
【図３】ジョイント部材による連結態様を示す斜視図
【図４】ジョイント部材による連結態様を示す横断面図
【図５】ジョイント部材の取付態様説明図
【符号の説明】
１ａ  親扉
１ｂ  子扉
４  吊元框
５  戸当り框
６  縦桟
１３  ジョイント部材
【図１】
0003577252.tif 000002
【図２】
0003577252.tif 000003
【図３】
0003577252.tif 000004
【図４】
0003577252.tif 000005
【図５】
0003577252.tif 000006